【手続補正書】
【提出日】平成17年5月11日(2005.5.11)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  電動送風機を内蔵した掃除機本体と、この掃除機本体側に接続する接続パイプと、この接続パイプに一端を接続するホ−スと，このホ−スの他端側を接続する手元ハンドルと、床ノズルと手元ハンドルを接続する延長管を有し、前記接続パイプは略直線状の塵埃通路をなし、この塵埃通路内に臨むように塵埃検知部を設けた電気掃除機。
【請求項２】  接続パイプを、一端にホ−スを接続した回転パイプと、この回転パイプを回動自在に保持する連結パイプから構成し、前記連結パイプ側に塵埃検知部を配置してなる請求項１記載の電気掃除機。
【請求項３】  ホ−スに付設した導電線と、この導電線に接続する環状のレ−ル接点と、このレ−ル接点と電気接続される接触端子を備え、前記環状レ−ルを回転パイプ側に設け、前記接触端子を連結パイプ側に設けた請求項２記載の電気掃除機。
【請求項４】  接続パイプには、電気掃除機本体側に係止する係止部を一端に有し、他端に操作部を設けた係止装置を揺動自在に取り付け、前記操作部の中空部に塵埃検知部の全部または一部を収容可能とした請求項１または２記載の電気掃除機。
【請求項５】  係止装置を接続パイプの上方に配設した請求項３記載の電気掃除機。
【請求項６】  塵埃検知部を一対の発光素子及び受光素子で構成し、接続パイプの略上下方向に光を放つように前記発光素子及び受光素子を配置した請求項１〜４のいずれか１項に記載の電気掃除機。
【請求項７】  接続パイプには、電気掃除機本体側に係止する係止部を一端に有し、他端に操作部を設けた係止装置を揺動自在に取り付けるとともに、塵埃検知部の制御用基板を前記係止装置と反対側に取り付けた請求項１〜６のいずれか１項に記載の電気掃除機。
【請求項８】  接続パイプの外周面を覆うカバ−部材を設け、このカバ−部材と接続パイプの外周面との間に収容空間を形成し、この収容空間内に少なくとも塵埃検知部及び係止装置及び制御用基板のいずれか１つを配した請求項１〜７のいずれか１項に記載の電気掃除機。
【請求項９】  塵埃検知部の制御用基板に貫通孔を形成し、この貫通孔に挿入する突出部を少なくともパイプ及びカバ−部材のいずれか１つに形成した請求項８記載の電気掃除機。
【請求項１０】  係止装置を覆う係止装置側ケ−スと制御用基板側を覆う基板側ケ−スを備え、前記各ケ−スを接合して接続パイプを覆うように構成し、前記各ケ−スの接合部に係合部を形成すると共に、前記接続パイプに設けた係止部に前記各ケ−スのいずれかの内面または両カバ−の内面に形成した突出リブを係止させた請求項７記載の電気掃除機。
【発明の詳細な説明】
【０００１】
【発明の属する技術分野】
本発明は、塵埃検知部を備えた電気掃除機に関するものである。
【０００２】
【従来の技術】
従来、この種の電気掃除機として、手元ハンドル部内に、吸引する塵埃を検知する塵埃検知部及びその制御回路、さらに手元ハンドル部側から掃除機本体側に電動送風機の制御信号を送る制御回路等を組み込んだものが知られている。例えば特開平１−３１４５４３号公報記載のように、集塵室及び電動送風機を内蔵する掃除機本体と、その掃除機本体の集塵室に連通する吸引口に一端が接続されるホ−スと、このホ−スの他端側が接続される手元ハンドル部と、この手元ハンドル部に一端側が接続される延長管と、前記延長管の他端側に接続される床用吸込具とを備え、前記手元ハンドル内には、延長管からの塵埃をホ−ス側に導く塵埃通路と、この塵埃通路とは仕切られて形成された部品収容部が形成されており、又グリップ部も塵埃通路と分離して設けられている。部品収容部内には塵埃通路を通過する塵埃を検知する発光素子及び受光素子からなる塵埃検知部と、この塵埃検知部からの信号で塵埃量等を検出する塵埃検知制御回路、この塵埃検知制御回路からの塵埃量等に応じて掃除機本体内の電動送風機の吸引力を制御する制御回路を設けている。
【０００３】
【発明が解決しようとする課題】
しかしながら、この従来の電気掃除機では、手元ハンドル部内に塵埃検知部、塵埃検知制御回路、制御回路等の部品を多く収容する構成であったため手元ハンドル部の重量が重くなり、手元ハンドル部を持って掃除するのに疲れやすい等、操作性が良くないという課題を有している。
【０００４】
上記の課題を解決するために塵埃検知部を掃除機本体内に設けることも考えられるが、塵埃を直接検知する塵埃検知部にあっては、塵埃通路に臨むように塵埃検知部を配する必要があり、この場合、掃除機本体側の塵埃通路は吸引口から集塵室内の集塵袋の吸口に至るまでの短い距離しかなく、さらに集塵袋に捕集した塵埃が掃除機本体の集塵通路内に逆流することも考えられ、塵埃通路内に臨ませた塵埃検知部の検知性能が低下するという課題を有している。そこで掃除機本体ではなく、その本体の吸引口に接続するホ−スの一端側に塵埃検知部を設けることも考えられる。ホ−スの一端側に掃除機本体の吸引口に設続するための接続パイプを設け、塵埃検知部を接続パイプに設ける構成は特開平７−３９４８５号公報に記載されている。しかし、特開平７−３９４８５号公報に記載のものは単に接続パイプに塵埃検知部を設けた構成にとどまるものであり、接続パイプに塵埃検知部を設ける上での工夫は何等なされていない。つまり、接続パイプの塵埃通路はくの字に曲げられ、しかも塵埃検知部は屈曲部より下流側に配されている。したがって屈曲部で塵埃の流れが大きく変化するので、その屈曲部より下流側に位置する塵埃検知部に塵埃が衝突し塵埃検知部の表面の汚れや磨耗が発生して塵埃検知性能を劣化させるという課題を有していた。
【０００５】
本発明は以上のような従来の課題を解決しようとするものであって、手元ハンドルの操作性を向上させるとともに性能を安定させることを目的とする。
【０００６】
【課題を解決するための手段】
上記目的を達成するために本発明は、電動送風機を内蔵した掃除機本体と、この掃除機本体側に接続する接続パイプと、この接続パイプに一端を接続するホ−スと，このホ−スの他端側を接続する手元ハンドルと、床ノズルと手元ハンドルを接続する延長管を有し、前記接続パイプは略直線状の塵埃通路となし、この塵埃通路内に臨むように塵埃検知部を設けたものである。
【０００７】
この構成によれば、掃除機本体に接続する接続パイプに塵埃検知部を設けることで手元ハンドルの軽量化が図れ、その操作性を向上させることができる。また接続パイプは略直線状の塵埃通路であるためホ−ス内での乱流が接続パイプ内に流入すれば接続パイプの略直線状の塵埃通路部で整流されることとなり、その整流された流れに乗った塵埃を塵埃検知部が検知することによりその検知性能が安定するものである。
【０００８】
【発明の実施の形態】
本発明の請求項１記載の発明は、電動送風機を内蔵した掃除機本体と、この掃除機本体側に接続する接続パイプと、この接続パイプに一端を接続するホ−スと、このホ−スの他端側を接続する手元ハンドルと、床ノズルと手元ハンドルを接続する延長管を有し、前記接続パイプは略直線状の塵埃通路をなし、この塵埃通路内に臨むように塵埃検知部を設けるものである。
【０００９】
この構成によれば、掃除機本体に接続する接続パイプに塵埃検知部を設けることで手元ハンドルの軽量化が図れ、その操作性を向上させることができる。また接続パイプは略直線状の塵埃通路であるためホ−ス内での乱流が接続パイプ内に流入すれば接続パイプの略直線状の塵埃通路部で整流されることとなり、その整流された流れに乗った塵埃を塵埃検知部が検知することによりその検知性能が安定するものである。
【００１０】
本発明の請求項２記載の発明は、接続パイプを、一端にホ−スを接続した回転パイプと、この回転パイプを回動自在に保持する連結パイプから構成し、前記連結パイプ側に塵埃検知部を配するもので、回転パイプの回動によりホ−スの捩れが解消できるとともに塵埃検知部を設けた連結パイプ側は掃除機本体に対して固定されているので、塵埃検知部と掃除機本体との電気接続も簡易な構成で済み、組立性において良好なものとすることができる。
【００１１】
本発明の請求項３記載の発明は、ホ−スに付設した導電線と、この導電線に接続する環状のレ−ル接点と、このレ−ル接点と電気接続される接触端子を備え、前記環状レ−ルを回転パイプ側に設け、前記接触端子を連結パイプ側に設けるもので、ホ−ス捩れ防止が行えることはもとより、手元ハンドル側に設けた操作スイッチ等と掃除機本体側とをホ−スの導電線、環状のレ−ル接点、接触端子を介して電気的接続が可能となり、手元ハンドルの操作スイッチにより電気掃除機の制御操作がおこなえる。
【００１２】
本発明の請求項４記載の発明は、接続パイプには、電気掃除機本体側に係止する係止部を一端に有し、他端に操作部を設けた係止装置を揺動自在に取り付け、前記操作部の中空部に塵埃検知部の全部または一部を収容可能とするもので、操作部の中空部という空きスペ−スを有効利用でき、接続パイプを塵埃検知部の取付スペ−スにより不用意に大型することがなく、その接続パイプの操作性が向上するものである。
【００１３】
本発明の請求項５記載の発明は、係止装置を接続パイプの上方に配設するもので、接続パイプの幅方向が小さく操作性が向上するものである。
【００１４】
本発明の請求項６記載の発明は、塵埃検知部を一対の発光素子及び受光素子で構成し、接続パイプの略上下方向に光を放つように前記発光素子及び受光素子を配置するもので、塵埃検知部を通過する塵埃の重量による落下に対して、塵埃検知性能が安定するものである。
【００１５】
本発明の請求項７記載の発明は、接続パイプには、電気掃除機本体側に係止する係止部を一端に有し、他端に操作部を設けた係止装置を揺動自在に取り付けるとともに、塵埃検知部の制御用基板を前記係止装置と反対側に取り付けるもので、係止装置の周辺の高さを係止操作部より低く構成できるため、係止操作の支障とならず操作性が向上するものである。
【００１６】
本発明の請求項８記載の発明は、接続パイプの外周面を覆うカバ−部材を設け、このカバ−部材と接続パイプの外周面との間に収容空間を形成し、この収容空間内に少なくとも塵埃検知部及び係止装置及び制御用基板のいずれか１つを配するもので、接続パイプの外形を小型化でき、操作性が向上するものである。
【００１７】
本発明の請求項９記載の発明は、塵埃検知部の制御用基板に貫通孔を形成し、この貫通孔に挿入する突出部を少なくともパイプ及びカバ−部材のいずれか１つに形成したので、制御用基板を固定するため塵埃検知部の位置決めが正確にでき、塵埃検知性能が向上、安定するものである。
【００１８】
本発明の請求項１０記載の発明は、係止装置を覆う係止装置側ケ−スと制御用基板側を覆う基板側ケ−スを備え、前記各ケ−スを接合して接続パイプを覆うように構成し、前記各ケ−スの接合部に係合部を形成すると共に、前記接続パイプに設けた係止部に前記各ケ−スのいずれかの内面または両カバ−の内面に形成した突出リブを係止するもで、各ケ−スの浮き、ガタツキがなく、ケ−ス内の収容部品保持が確実に行え、検知性能が安定するものである。
【００１９】
【実施例】
（実施例１）
以下本発明の第１の実施例を、図１〜図２を用いて説明する。
【００２０】
図２は掃除機の全体を示すもので、１は後方に電動送風機（図示せず）を内蔵した掃除機本体で掃除機本体１の前方には電動送風機の吸引力で吸込まれる塵埃を補集する集塵室（図示せず）が形成されている。集塵室と連通するように掃除機本体１には吸気口が設けられており、この吸気口に接続パイプ２が接続される。接続パイプ２を介してホ−ス３の一端を接続し、このホ−ス３の他端側には手元ハンドル４が接続され、この手元ハンドル４内には、掃除機本体１内の電動送風機の運転を制御するための操作スイッチが内蔵されている。手元ハンドル４の反ホ−ス３側には延長管５の一端側が接続され、延長管５の他端側には床ノズル６が接続されている。
【００２１】
図１に示すように、接続パイプ２は、略直線状の塵埃通路を形成する連結パイプ７を有し、この連結パイプ７の一端にホ−ス３の端部を挿入して接続し、さらに、連結パイプ７とホ−ス３接続部外周をホ−スカバ−１４で覆い、接続部を保護している。連結パイプ７の他端側は掃除機本体１の吸気口に挿入され、この他端側の周面の一部に揺動自在に取付けた尾錠（係止装置に相当）９により、掃除機本体１の吸気口に連結パイプ７を着脱自在に装着する。連結パイプ７は本体側連結パイプ７ａとホ−ス側連結パイプ７ｂとにより構成し、これらパイプ７ａ，７ｂを嵌合、接着などにより一本の連結パイプ７として構成しているが、組立性を考慮すると一体成型により連結パイプ７を一本のパイプとして仕上げることが好ましい。尾錠９はホ−ス側に中空部１９を有する操作部９ａを設け、本体側に係止部９ｂを設け、この係止部９ｂ内に挿入されるバネ９ｃにより矢印Ａ方向に付勢されている。すなわち尾錠９は操作部９ａを押圧することにより、支点９ｄを中心として係止部９ｂが矢印Ｂ方向に移動し、掃除機本体１の係止及び解除を行えるようにしている。なお、図示していないが掃除機本体１の吸気口の内周面の一部には、尾錠９の係止部９ｂを係止するための凹部が形成されている。また、連結パイプ７の外周は尾錠９の周囲を囲むように尾錠ケ−ス８が設けられ、また、尾錠９と相対する連結パイプ７の周面にはプリント基板（制御用基板に相当）１０が取付けられ、このプリント基板１０を覆うように基板ケース１１が連結パイプ７の外周に取付けられている。尾錠９の中空部１９に対応する部分には発光素子１２が取付けられ、塵埃通路内に光を放つようにしている。この発光素子１２と対向する部分には受光素子１３が取付けられ、発光素子１２から放射された光を受光するようにしている。受光素子１３はプリント基板１０上に実装されており、受光素子１３及び発光素子１２への電力供給部品をはじめ、受光素子１３の出力電圧を塵埃検知信号として出力するための部品もプリント基板１０上に実装されている。つまりプリント基板１０が塵埃検知部制御回路の一部を構成している。塵埃検知信号を掃除機本体１側に伝送するために尾錠９の近傍に電気端子３２を設けている。つまり、接続パイプ２を掃除機本体１の吸気口に装着すると、電気端子３２を介して掃除機本体１側と電気接続され、塵埃検知信号を掃除機本体１側に伝送される。この塵埃検知信号により電動送風機の吸引力を制御している。なお、発光素子１２としては赤外線を発光するものが好ましく、受光素子１３としては赤外線を受光して出力変化するものが好ましい。この赤外線の発光素子及び受光素子を用いることにより、外光の影響を受けにくくして検知性能を高めることができる。発光素子１２及び受光素子１３は、ホ−ス３側から離れた位置、すなわち、本体側連結パイプ７ａに設け、ホ−ス３内で発生する乱流の影響を受けにくい位置としている。
【００２２】
上記構成による作用は以下の通りである。
【００２３】
掃除機本体１の吸気口に接続パイプ２を挿入すると尾錠９が掃除機本体１に係止し、接続パイプ２を掃除機本体１に固定する。この状態で掃除機本体１内の電動送風機を運転すると吸引力が発生し、床ノズル６、延長管５、手元ハンドル４の塵埃通路、ホ−ス３、接続パイプ２を介して掃除機本体１の集塵室に塵埃が吸引される。この塵埃が吸引される状態では、ホ−ス３で発生する乱流が接続パイプ２内に流れ込むことになる。特にホ−ス３を蛇腹形状にしておくと、その乱流は大きくなることはいうまでもない。ホ−ス３で発生した乱流は接続パイプ２を構成する略直線状の連結パイプ７内を流れるが、連結パイプ７の上流側の直線状部分で整流され、塵埃検知部を構成する発光素子１２及び受光素子１３が配置された部分ではその乱流による影響を抑制することができる。したがって連結パイプ７内を流れる塵埃が発光素子１２及び受光素子１３の間を通過する下流域では乱流による影響を受けることが少ないので、塵埃検知性能を安定化することができる。また、発光素子１２及び受光素子１３は上下方向に光を放つように配置されているので、吸引風量の変化に係わりなく及び、塵埃の重さに係わりなく検知性能が安定する。例えば塵埃が重いと塵埃通路の下方を塵埃が通過するが上下方向に光を放つようにしておけばその場合でも塵埃を確実に検知できる。なお、塵埃検知の方法としては塵埃が発光素子１２及び受光素子１３の間を通過することで、発光素子１２からの光が受光素子１３に放射されるのを遮断し、受光素子１３側の出力が変化するのを利用し、例えば多数の塵埃が通過することとなると受光素子１３の出力は受光、遮断が繰り返される変化の多いものとなる。本実施例では、尾錠９の操作部９ａの中空部１９に発光素子１２を配しているので中空部１９の空間を発光素子１２の収容空間として利用することができ、接続パイプ２の大型化を防止するものであるが、発光素子１２の代わりに受光素子１３を配してもよいし、より中空部１９の空間を有効利用するのであれば、発光素子１２及び受光素子１３をその中空部１９内に配置すればよい。ただ、この場合、発光素子１２からの光を塵埃に当てて反射させ、その反射光を受光素子１３で受光する、いわゆる反射型の塵埃検知になる。また、発光素子１２、受光素子１３、塵埃検知部のプリント基板１０を、手元ハンドル４内に設けないため、手元部が軽くなり操作性が向上するものである。
【００２４】
（実施例２）
次に本発明の第２の実施例を、図３を用いて説明する。なお上記第１の実施例と同一構成部品については同一符号を付して、その説明を省略する。
【００２５】
接続パイプ２において、尾錠９が設けられている連結パイプ７の一端に回転パイプ１５の一端を回転自在に接続し、前記回転パイプ１５の他端にホ−ス３を接続する。前記回転パイプ１５は、回転パイプ１５の周面に設けた環状の溝部１６に、尾錠ケ−ス８の内面より突出したリブ１７を当接させ、回転パイプ１５が連結パイプ７かり抜けるのを防止している。１８は回転パイプ１５の端部周面に設けられた環状のエア−タイトパッキンで、連結パイプ７の内周面に当接してエア−漏れを防止している。
【００２６】
上記構成による作用は以下の通りである。
【００２７】
掃除中におけるホ−ス３の捩れが発生しても、回転パイプ１５が回動するので、その捩れを解消することができる。また、回転パイプ１５の回動により塵埃の流れが変わり、塵埃の付着が偏らず塵埃検知部の汚れが減少し、塵埃検知部の検知性能が安定する。
【００２８】
（実施例３）
次に本発明の第３の実施例を、図４を用いて説明する。なお上記第１の実施例と同一構成部品については同一符号を付して、その説明を省略する。
【００２９】
回転パイプ１５のホ−ス３側にはホ−ス３に内設した導電線３ａと環状のレ−ル接点２０とを電気的に接続する電気接続部３０を設けている。環状のレ−ル接点２０は電気接続部３０より連結パイプ７側に設けられており、具体的には回転パイプ１５の周面と環状レ−ル接点２０の内面との間に隙間を形成するレ−ル台を回転パイプ１５の周面に設け、環状のレ−ル接点２０から延設された導電部３１を電気接続部３０側に前記隙間を通して導出している。連結パイプ７側に取り付けられる尾錠ケ−ス８には環状のレ−ル接点２０に当接し、電気接続される接触端子２１を設けている。この接触端子２１はプリント基板１０を介して尾錠９の近傍に配した電気端子３２に接続する。プリント基板１０は手元ハンドル４の操作スイッチからの信号を導電線３ａ、導電部３１、レ−ル接点２０、接触端子２１を介して入力し、掃除機本体１側に電気端子３２を介して伝達する。掃除機本体１側ではプリント基板１０からの信号により電動送風機の位相制御を行い、吸引力の制御を行う。また信号を送るための電気端子３２とは別にプリント基板１０へ掃除機本体１から電力を供給する電気端子を設けている。また、プリント基板１０には貫通孔２２が形成されており、連結パイプ７の反尾錠９側の周面には突出ボス２３が一体形成されている。この突出ボス２３に貫通孔２２を挿入することでプリント基板１０の位置決めを行い、さらに基板ケース１１でプリント基板１０を覆い、ねじ３３により基板ケース１１を突出ボス２３に螺子固定する。
【００３０】
以上の構成によれば、高さの低い接触端子２１を尾錠９側、高さの高いプリント基板１０を尾錠９と反対側に配することにより、接続パイプ２を大型化することなく尾錠９の操作部９ａ周辺の高さを低く設定でき、接続パイプ２の操作が容易となる。又、ホ−ス捩れ防止の回転機構の電気接続を接続パイプに設けているので、手元ハンドル部の操作スイッチからの信号を掃除機本体１側に送ることができ、操作性が良好となるものである。更に、プリント基板１０の貫通孔２２を用いて固定することで、塵埃検知部、すなわち、受光素子１３の位置決めが正確にでき、塵埃検知部の検知性能が向上する。なお、プリント基板１０に発光素子１２及び受光素子１３の両方を配置すれば、より塵埃検知の位置決めは容易となる。この場合、実施例１で述べた反射型の塵埃検知となることはいうまでもない。
【００３１】
（実施例４）
次に本発明の第４の実施例を、図５を用いて説明する。なお上記各実施例と同一構成部品については同一符号を付して、その説明を省略する。
【００３２】
連結パイプ７の両側に一体に断面Ｌ字状の係止部２４を設けている。尾錠ケ−ス８は連結パイプ７の上半分を覆うように形成し、その内面側に下方に突出する突出リブ２５を形成し、この突出リブ２５の下端部が係止部２４内に挿入する。基板ケース１１は連結パイプ７の下半分を覆うように形成され、尾錠ケ−ス８の下端部と基板ケース１１の上端部とが接合するようにしている。尾錠ケ−ス８の下端部の内面に凸部２６を設け、基板ケース１１の上端部に前記凸部２６に係合する爪部２７を一体に設け、両ケ−ス８、１１を接合すると凸部２６と爪部２７が係止する構成である。
【００３３】
上記構成による作用は以下の通りである。
【００３４】
凸部２６及び爪部２７の係合以外に、係止部２４と突出リブ２５との係止を行わせているので、尾錠ケ−ス８と基板ケ−ス１１の接合部が開くことがない。つまり各ケ−ス８、１１に外力が加わりそれらの接合部が開こうとする場合、尾錠ケ−ス８は突出リブ２５が係止部２４に係止されているので開きは防止でき、また、基板ケース１１は尾錠ケ−ス８によりその開きが防止される。したがって各ケ−ス８、１１内に収容される尾錠９、接触端子２１、プリント基板１０の保持が確実にでき、塵埃検知部の検知性能や、操作性の向上となるものである。
【００３５】
【発明の効果】
本発明の請求項１記載の発明によれば、接続パイプが略直線状の塵埃通路であるため、塵埃の検知性能が向上し、また、手元ハンドルも軽く、操作性が向上する。
【００３６】
本発明の請求項２記載の発明によれば、回転パイプの回動によりホ−スの捩れが解消でき、使い勝手が向上する。
【００３７】
本発明の請求項３記載の発明によれば、ホ−ス捩れ防止ができるとともに、手元ハンドルから掃除機本体側に信号を伝送できるので操作性が向上する。
【００３８】
本発明の請求項４記載の発明によれば、操作部の中空部に塵埃検知部の全部または一部を収容可能とするもので、接続パイプの大型化を防止でき、操作性が向上する。
【００３９】
本発明の請求項５記載の発明によれば、係止装置を接続パイプの上方に配設するもので、接続パイプの幅方向が小さく操作性が向上する。
【００４０】
本発明の請求項６記載の発明によれば、接続パイプの略上下方向に光を放つように前記発光素子及び受光素子を配置するもので、塵埃検知部を通過する塵埃の重量による落下に対して、塵埃検知性能が安定する。
【００４１】
本発明の請求項７記載の発明によれば、塵埃検知部の制御用基板を係止装置と反対側に取り付けるもので、係止装置の周辺の高さを係止操作部より低く構成できるため、係止操作の支障とならず操作性が向上する。
【００４２】
本発明の請求項８記載の発明によれば、カバ−部材と接続パイプの外周面との間に収容空間を形成し、この収容空間内に少なくとも塵埃検知部及び係止装置及び制御用基板のいずれか１つを配するもので、接続パイプの外形を小型化でき、操作性が向上する。
【００４３】
本発明の請求項９記載の発明によれば、制御用基板に貫通孔を設け、貫通孔に挿入する突出部を少なくともパイプ及びカバ−部材のいずれか１つに形成し、制御用基板を固定するため塵埃検知部の位置決めが正確にでき、塵埃検知性能が向上する。
【００４４】
本発明の請求項１０記載の発明によれば、接続パイプに設けた係止部に各ケ−スのいずれかの内面または両カバ−の内面に形成した突出リブを係止するもで、各ケ−スの浮き、ガタツキがなく、ケ−ス内の収容部品保持が確実に行え、検知性能が安定する。
【図面の簡単な説明】
【図１】
本発明の第１の実施例を示す電気掃除機の接続パイプの断面図
【図２】
同電気掃除機の全体図
【図３】
本発明の第２の実施例を示す電気掃除機の接続パイプの断面図
【図４】
本発明の第３の実施例を示す電気掃除機の接続パイプの一部破断側面図
【図５】
本発明の第４の実施例を示す電気掃除機の接続パイプを軸方向と直交する面で断面した要部断面図
【符号の説明】
１  本体
２  接続パイプ
３  ホ−ス
４  手元ハンドル
５  延長管
６  床ノズル
７  連結パイプ
８  尾錠ケ−ス（カバ−部材）
９  尾錠（係止装置）
１０  プリント基板（制御用基板）
１１  基板ケース（カバ−部材）
１２  発光素子
１３  受光素子
１５  回転パイプ
１９  中空部
２０  レ−ル接点
２１  接触端子
２２  貫通孔
２３  突出ボス
２４  係止部
２５  突出リブ
２６  凸部（係合部）
２７  凹部（係合部）
【手続補正２】
【補正対象書類名】図面
【補正対象項目名】図１
【補正方法】変更
【補正の内容】
【図１】
2000245666.tif 000001
【手続補正３】
【補正対象書類名】図面
【補正対象項目名】図４
【補正方法】変更
【補正の内容】
【図４】
2000245666.tif 000002